(57)【特許請求の範囲】
【請求項１】
化粧パネルの四辺に吹出口を設け、同吹出口に、支軸部により風向変更板を回動自在に軸支し、同風向変更板の両側に設けられた隣り合う回動軸に接続された連結体を、前記化粧パネルのコーナ部で連結部材等からなる連結手段によって連結するとともに、前記コーナ部の何れか一ヶ所に、前記風向変更板を駆動する駆動装置を設けてなる天井埋込型空気調和機において、
前記駆動装置が、出力歯車を有するモータと、周面に前記出力歯車と歯合する歯車部を有し、かつ、一方の面に螺旋状のカム溝が形成されたカム歯車と、前記カム溝による回転方向の移動を直線運動に変換して前記連結手段に伝達する同連結手段側に設けられたフック式自在継手と、前記化粧パネルの所定の角部に取り付けられるモータカバーとを備え、前記モータと前記カム歯車とが前記モータカバーの前記化粧パネルと対向する内面側に組み付けられてなり、
前記出力歯車の上部に、環状の凹溝を設ける一方、前記モータカバーに、前記凹溝に摺動自在に収容されて、前記出力歯車を駆動する前記モータの駆動軸の軸ぶれを規制する規制片を設けたことを特徴とする天井埋込型空気調和機。
【請求項２】
前記規制片を、前記凹溝に対応する環状により逆凸条に形成したことを特徴とする請求項１に記載の天井埋込型空気調和機。
【請求項３】
前記凹溝の底面と前記規制片の下端との間に、隙間を形成したことを特徴とする請求項１または請求項２に記載の天井埋込型空気調和機。
【請求項４】
前記規制片の両側を、曲面状に形成したことを特徴とする請求項１乃至請求項３に記載の天井埋込型空気調和機。
【発明の詳細な説明】
【０００１】
【発明の属する技術分野】
本発明は、天井埋込型空気調和機に係わり、より詳細には、風向変更板の駆動装置を構成する出力歯車の駆動軸が軸ぶれしないように規制し、前記風向変更板に前記駆動装置の駆動力を正常に伝達できるようにした構造に関する。
【０００２】
【従来の技術】
従来の天井埋込型空気調和機は、例えば図１と、図２と、図７とで示すように、天井面に埋め込まれた本体ケーシング１の下部に装着された化粧パネル２の四辺に吹出口３を設け、同吹出口３に、支軸部４により風向変更板５を回動自在に軸支し、同風向変更板５の両側に設けられた隣り合う回動軸に接続された連結体６を、前記化粧パネル２のコーナ部で連結部材７からなる連結手段によって連結するとともに、前記コーナ部の何れか一ヶ所に、前記風向変更板５を駆動するための駆動装置８を設けてなり、同駆動装置８を構成するモータ10の駆動軸10a に設けられた出力歯車11により、同出力歯車11に歯合する歯車部を有し、かつ、一方の面に螺旋状のカム溝が形成されたカム歯車12と、前記カム溝の回転方向を直線運動に変換して前記連結手段に伝達する同連結手段側に設けられた主軸13a およびレバー13b からなるフック式自在継手13とを介して、前記連結手段により連結された前記風向変更板５を回動してなる構成であった。
【０００３】
しかしながら、前記駆動装置８を構成する前記出力歯車11の駆動軸10a が軸ぶれして、同出力歯車11が図７で示す破線のように波うってしまうため、前記モータ10の駆動力が正常に伝達されずに前記風向変更板５の回動する動作が不安定になってしまうという問題を有していた。
【０００４】
【発明が解決しようとする課題】
本発明においては、上記の問題点に鑑み、風向変更板の駆動装置を構成する出力歯車の駆動軸が軸ぶれしないように規制し、前記風向変更板に前記駆動装置の駆動力を正常に伝達できるようにした天井埋込型空気調和機を提供することを目的とする。
【０００５】
【課題を解決するための手段】
本発明は、上記課題を解決するため、化粧パネルの四辺に吹出口を設け、同吹出口に、支軸部により風向変更板を回動自在に軸支し、同風向変更板の両側に設けられた隣り合う回動軸に接続された連結体を、前記化粧パネルのコーナ部で連結部材等からなる連結手段によって連結するとともに、前記コーナ部の何れか一ヶ所に、前記風向変更板を駆動する駆動装置を設けてなる天井埋込型空気調和機において、
前記駆動装置が、出力歯車を有するモータと、周面に前記出力歯車と歯合する歯車部を有し、かつ、一方の面に螺旋状のカム溝が形成されたカム歯車と、前記カム溝による回転方向の移動を直線運動に変換して前記連結手段に伝達する同連結手段側に設けられたフック式自在継手と、前記化粧パネルの所定の角部に取り付けられるモータカバーとを備え、前記モータと前記カム歯車とが前記モータカバーの前記化粧パネルと対向する内面側に組み付けられてなり、
前記出力歯車の上部に、環状の凹溝を設ける一方、前記モータカバーに、前記凹溝に摺動自在に収容されて、前記出力歯車を駆動する前記モータの駆動軸の軸ぶれを規制する規制片を設けた構成となっている。
【０００６】
また、前記規制片を、前記凹溝に対応する環状により逆凸条に形成した構成となっている。
【０００７】
また、前記凹溝の底面と前記規制片の下端との間に、隙間を形成した構成となっている。
【０００８】
更に、前記規制片の両側を、曲面状に形成した構成となっている。
【０００９】
【発明の実施の形態】
以下、本発明の実施の形態を、添付図面に基づいた実施例として説明する。
図１乃至図５と、図６（Ａ）および図６（Ｂ）とにおいて、１は天井埋込型空気調和機を構成して天井面に埋め込まれた本体ケーシング、２は同本体ケーシング１の下部に装着された化粧グリル、３は同化粧グリル２の四辺に設けられた吹出口、５は同吹出口３に支軸部４により回動自在に軸支された風向変更板、６は同風向変更板５両側の回動軸に接続される連結体、７は隣り合う同連結体６を連結する連結部材、８は前記風向変更板５を駆動するための駆動装置である。
【００１０】
前記駆動装置８が、出力歯車11を有するモータ10と、中心に支軸部12a を有して周面に前記出力歯車11と歯合する歯車部を有し、かつ、一方の面に螺旋状のカム溝12b が形成されてカム歯車収容部9aに収容されたカム歯車12と、前記カム溝12b による回転方向の移動を直線運動に変換して前記連結部材７等からなる連結手段に伝達する同連結手段側に設けられた主軸13a およびレバー13b からなるフック式自在継手13と、前記化粧パネル３の所定の角部に取り付けられるモータカバー９とを備え、前記モータ10と前記カム歯車12とが前記モータカバー９の前記化粧パネル２と対向する内面側に組み付けられてなり、
前記出力歯車11の上部に、環状の凹溝11a を設ける一方、前記モータカバー９に、前記凹溝11a に摺動自在に収容されて、前記出力歯車11を駆動する前記モータ10の駆動軸10a の軸ぶれを規制する規制片9bを設けた構成となっており、
これによって、前記出力歯車11の駆動軸10a が軸ぶれしないように規制できるようになり、同出力歯車11が、図７に基づいて上記に説明した従来技術のように波うってしまうことがないように防止できて、前記モータ10の駆動力が正常に伝達されずに前記風向変更板５の回動する動作が不安定になってしまうということがないようにした構造となる。
【００１１】
また、前記規制片9bを、前記凹溝11a に対応する環状により逆凸条に形成したことによって、該規制片9bを、前記凹溝11a の全長にわたって収容する構成になるので、前記出力歯車11の駆動軸10a が軸ぶれしないように効果的に規制できるようにした構成となっている。
【００１２】
また、前記凹溝11a の底面と前記規制片9bの下端との間に、図６（Ｂ）で示すような隙間ａを形成したことにより、同規制片9bおよび前記出力歯車11の上下方向の組立誤差を吸収できるとともに、前記凹溝11a に収容された前記規制片9bにより、前記駆動軸10a の軸ぶれを効果的に規制できるようにした構成となっている。
【００１３】
更に、前記規制片9bの両側9cを曲面状に形成したことにより、同規制片9bと前記凹溝11a との係合状態が良好になり、同規制片9bをより円滑に、かつ摺動自在に同凹溝11a に収容できるようにした構成となっている。
【００１４】
以上の構成により、図１乃至図５と、図６（Ａ）および図６（Ｂ）とで示すように、前記駆動装置８が、出力歯車11を有するモータ10と、中心に支軸部12a を有して周面に前記出力歯車11と歯合する歯車部を有し、かつ、一方の面に螺旋状のカム溝12b が形成されたカム歯車12と、前記カム溝12b による回転方向の移動を直線運動に変換して前記連結部材７等からなる連結手段に伝達する同連結手段側に設けられた主軸13a およびレバー13b からなるフック式自在継手13と、前記化粧パネル３の所定の角部に取り付けられるモータカバー９とを備え、前記モータ10と前記カム歯車12とが前記モータカバー９の前記化粧パネル２と対向する内面側に組み付けられてなり、
前記出力歯車11の上部に、環状の凹溝11a を設ける一方、前記モータカバー９に、前記凹溝11a に摺動自在に収容されて、前記出力歯車11を駆動する前記モータ10の駆動軸10a の軸ぶれを規制する規制片9bを設けたので、
前記出力歯車11の駆動軸10a が軸ぶれしないように規制できるようになり、同出力歯車11が、図７に基づいて上記に説明した従来技術のように波うってしまうことがないように防止できて、前記モータ10の駆動力が正常に伝達されずに前記風向変更板５の回動する動作が不安定になってしまうということがないようにした天井埋込型空気調和機となる。
【００１５】
【発明の効果】
以上のように本発明によると、風向変更板の駆動装置を構成する出力歯車の駆動軸が軸ぶれしないように規制できて、前記風向変更板に前記駆動装置の駆動力を正常に伝達できるようにした天井埋込型空気調和機となる。
【図面の簡単な説明】
【図１】本発明および従来例による天井埋込型空気調和機の断面図である。
【図２】本発明および従来例による天井埋込型空気調和機の吹出口に設けられた風向変更板およびこれを駆動する駆動装置を示す斜視図である。
【図３】図２で示す駆動装置を拡大した斜視図である。
【図４】本発明および従来例による天井埋込型空気調和機の風向変更板を駆動する駆動装置の概略的断面図である。
【図５】本発明による天井埋込型空気調和機の風向変更板を駆動する駆動装置の概略的断面図である。
【図６】本発明による天井埋込型空気調和機の風向変更板を駆動する駆動装置の概略的断面図で、（Ａ）は出力歯車11に設けた溝部およびこれに収容される規制片の組立前の説明図であり、（Ｂ）は組立後の説明図である。
【図７】従来例による天井埋込型空気調和機の風向変更板を駆動する駆動装置の概略的断面図である。
【符号の説明】
１  本体ケーシング
２  化粧グリル
３  吹出口
４  支軸部
５  風向変更板
６  連結体
７  連結部材
８  駆動装置
９  モータカバー
9a  カム歯車収容部
9b  規制片
9c  規制片の両側
10  モータ
10a 駆動軸
11  出力歯車
11a 凹溝
12  カム歯車
12a 支軸部
12b カム溝
13  フック式自在継手
13a 主軸
13b レバー
ａ  隙間
【図１】
0003843613.tif 000002
【図２】
0003843613.tif 000003
【図３】
0003843613.tif 000004
【図４】
0003843613.tif 000005
【図５】
0003843613.tif 000006
【図６】
0003843613.tif 000007
【図７】
0003843613.tif 000008